【手続補正書】
【提出日】平成16年3月4日(2004.3.4)
【手続補正１】
【補正対象書類名】明細書
【補正対象項目名】発明の名称
【補正方法】変更
【補正の内容】
【発明の名称】消耗材を収納し不揮発性記憶部を備えたカートリッジを利用して印刷出力が可能な印刷制御装置、及び、システム、及び、消耗材を収納したカートリッジ、並びに、消耗材を収納し不揮発性記憶部を備えたカートリッジの使用期限の処理方法


【手続補正２】
【補正対象書類名】明細書
【補正対象項目名】特許請求の範囲
【補正方法】変更
【補正の内容】
【特許請求の範囲】
【請求項１】
消耗材を収納し不揮発性記憶部を備えたカートリッジを利用して印刷出力が可能な印刷制御装置であって、
外部から供給される印刷情報に基づく記録媒体への印刷を前記消耗材を利用して行なわせる印刷制御手段と、
前記カートリッジが最初に使用されたことに応じた開封情報を前記不揮発性記憶部に記憶させる制御手段と、
前記制御手段により前記不揮発性記憶部に記憶された開封情報に基づいた出力を行なわせる出力制御手段と、
を有することを特徴とする印刷制御装置。
【請求項２】
前記制御手段により前記不揮発性記憶部に記憶された開封情報に基づく使用期限を算出する算出手段を有し、前記出力制御手段は前記算出手段により算出された使用期限に基づいた出力を発するようにすることを特徴とする請求項１に記載の印刷制御装置。
【請求項３】
前記不揮発性記憶部には前記カートリッジの製造年月情報が記憶されており、前記製造年月情報をもとに算出された使用期限に基づき注意を促す手段を有することを特徴とする請求項１又は２に記載の印刷制御装置。
【請求項４】
前記消耗材はトナーであり、前記制御手段はトナーローが解除された回数を前記不揮発性記憶部に記憶させ、前記出力制御手段は該不揮発性記憶部から読み出された前記回数に応じた異なるメッセージを出力させることを特徴とする請求項１から３の何れかに記載の印刷制御装置。
【請求項５】
前記メッセージには印刷に対するユーザの同意を求めることが含まれることを特徴とする請求項４に記載の印刷制御装置。
【請求項６】
前記不揮発性記憶部に記憶された販売店の連絡先の情報を外部のホストコンピュータにおいて表示させるようにする手段を有することを特徴とする請求項１から５の何れかに記載の印刷制御装置。
【請求項７】
前記開封情報は、前記カートリッジが最初に使用された年月情報であることを特徴とする請求項１から６の何れかに記載の印刷制御装置。
【請求項８】
消耗材を収納したカートリッジと、該カートリッジを利用して印刷出力が可能な印刷制御装置とを含むシステムであって、
前記カートリッジは、
前記カートリッジに設けられた不揮発性記憶部を有し、
前記印刷制御装置は、
外部から供給される印刷情報に基づく記録媒体への印刷を前記消耗材を利用して行なわせる印刷制御手段と
前記カートリッジが最初に使用されたことに応じた開封情報を前記不揮発性記憶部に記憶させる制御手段と、
前記制御手段により前記不揮発性記憶部に記憶された開封情報に基づいた出力を行なわせる出力制御手段と、
を有することを特徴とするシステム。
【請求項９】
外部から供給される印刷情報に基づく記録媒体への印刷を消耗材を利用して行なわせる印刷制御手段を備えた印刷制御装置において利用される、消耗材を収納したカートリッジであって、
前記消耗材を収納する収納手段と、
前記印刷制御装置において最初に使用されたことに応じた開封情報を記憶する不揮発性記憶手段と、
を有し、前記印刷制御装置には、前記不揮発性記憶手段に前記カートリッジが初めて前記印刷制御装置に装着された開封情報を記憶するようにする制御部、及び、前記不揮発性記憶手段に記憶された開封情報に基づいた出力を行わせる出力制御部と、
を有することを特徴とする消耗材を収納したカートリッジ。
【請求項１０】
外部から供給される印刷情報に基づく記録媒体への印刷を消耗材を利用して行なわせる印刷制御部を備えた印刷制御装置において利用される前記消耗材を収納し不揮発性記憶部を備えたカートリッジの使用期限の処理方法において、
前記カートリッジが最初に使用されたことに応じた開封情報を前記不揮発性記憶部に記憶させる制御ステップと、
前記制御ステップにより前記不揮発性記憶部に記憶された開封情報に基づいた出力を行なわせる出力制御ステップと、
を有することを特徴とする処理方法。
【請求項１１】
前記制御ステップにおいて前記不揮発性記憶部に記憶された開封情報に基づく使用期限を算出する算出ステップを有し、前記出力制御ステップは前記算出ステップにおいて算出された使用期限に基づいた出力を発するようにすることを特徴とする請求項１０に記載の処理方法。
【請求項１２】
前記不揮発性記憶部に記憶された販売店の連絡先の情報を外部のホストコンピュータにおいて表示させるようにするステップを有することを特徴とする請求項１０又は１１に記載の処理方法。
【請求項１３】
前記開封情報は、前記カートリッジが最初に使用された年月情報であることを特徴とする請求項１０から１２の何れかに記載の処理方法。
【手続補正３】
【補正対象書類名】明細書
【補正対象項目名】０００１
【補正方法】変更
【補正の内容】
【０００１】
【発明の属する技術分野】
本発明は、双方向性インターフェースを介してホストコンピュータ等に接続される消耗材を収納し不揮発性記憶部を備えたカートリッジを利用して印刷出力が可能な印刷制御装置、及び、システム、及び、消耗材を収納したカートリッジ、並びに、消耗材を収納し不揮発性記憶部を備えたカートリッジの使用期限の処理方法に関する。


【手続補正４】
【補正対象書類名】明細書
【補正対象項目名】０００６
【補正方法】変更
【補正の内容】
【０００６】
【発明が解決しようとする課題】
しかしながら、上記従来技術で述べたような、空になればプリンタに対して交換が可能な、トナーなどの消耗材が封入されたカートリッジの使用期限を容易にユーザに知らしめることが可能となってはいなかった。


【手続補正５】
【補正対象書類名】明細書
【補正対象項目名】０００７
【補正方法】変更
【補正の内容】
【０００７】
本願発明は、上記の問題点を鑑みてなされたものであり、カートリッジの使用期限を容易にユーザに知らしめることを可能にせしめる仕組みを提供することにある。


【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
【課題を解決するための手段】
上記目的を達成する本発明の印刷制御装置は以下に示す構成を特徴とする。即ち、消耗材を収納し不揮発性記憶部を備えたカートリッジを利用して印刷出力が可能な印刷制御装置であって、外部から供給される印刷情報に基づく記録媒体への印刷を前記消耗材を利用して行なわせる印刷制御手段と、前記カートリッジが最初に使用されたことに応じた開封情報を前記不揮発性記憶部に記憶させる制御手段と、前記制御手段により前記不揮発性記憶部に記憶された開封情報に基づいた出力を行なわせる出力制御手段と、を有することを特徴とする。


【手続補正８】
【補正対象書類名】明細書
【補正対象項目名】００１０
【補正方法】変更
【補正の内容】
【００１０】
或は、上記目的を達成する本発明の消耗材を収納したカートリッジと、該カートリッジを利用して印刷出力が可能な印刷制御装置とを含むシステムは以下に示す構成を特徴とする。前記カートリッジは、前記カートリッジに設けられた不揮発性記憶部を有し、前記印刷制御装置は、外部から供給される印刷情報に基づく記録媒体への印刷を前記消耗材を利用して行なわせる印刷制御手段と前記カートリッジが最初に使用されたことに応じた開封情報を前記不揮発性記憶部に記憶させる制御手段と、
前記制御手段により前記不揮発性記憶部に記憶された開封情報に基づいた出力を行なわせる出力制御手段と、を有することを特徴とする。


【手続補正９】
【補正対象書類名】明細書
【補正対象項目名】００１１
【補正方法】変更
【補正の内容】
【００１１】
或は、上記目的を達成する本発明の、外部から供給される印刷情報に基づく記録媒体への印刷を消耗材を利用して行なわせる印刷制御部を備えた印刷制御装置において利用される、消耗材を収納したカートリッジは、以下に示す構成を特徴とする。即ち、前記消耗材を収納する収納手段と、前記印刷制御装置において最初に使用されたことに応じた開封情報を記憶する不揮発性記憶手段と、を有し、前記印刷制御装置には、前記不揮発性記憶手段に前記カートリッジが初めて前記印刷制御装置に装着された開封情報を記憶するようにする制御部、及び、前記不揮発性記憶手段に記憶された開封情報に基づいた出力を行わせる出力制御部と、を有することを特徴とする。


【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】